(57)【要約】  スマートカードの製造方法は、接触パッドとの接続のための接点１１３を有するフレキシブル回路１１２を提供する工程であって、セキュアエレメントがフレキシブル回路に電気的に接続される工程と、拡張ブロック１１８を通る導電路１３４を介して接触パッド１２０上の接点１２１をフレキシブル回路１１２上の接点１１３に接続する工程とを含む。フレキシブル回路を封入するカード本体１２２を提供するために、積層プロセスがフレキシブル回路に適用される。【選択図】図１７
2019511058.tif 000002
【特許請求の範囲】
【請求項１】
スマートカードであって、
フレキシブル回路を封入するカード本体と、
前記カード本体から露出した接点を有する接触パッドと、
前記接触パッドと前記フレキシブル回路との間の前記カード本体内に配置された拡張ブロックであり、前記接触パッドの前記接点が前記導電性経路を介して前記フレキシブル回路に電気的に接続されるように導電路を画定する拡張ブロックと、そして
前記カード本体内に配置され、前記フレキシブル回路に電気的に接続されたセキュアエレメントであり、前記接触パッドと重ならないセキュアエレメントと
を備えるスマートカード。
【請求項２】
前記拡張ブロックが、少なくとも２００μｍ、好ましくは少なくとも３００μｍの高さを有する、請求項１に記載のスマートカード。
【請求項３】
前記拡張ブロックが、複数の貫通孔を画定する電気絶縁材料のブロックを備え、前記貫通孔を介して前記導電路が延びている、請求項１または２に記載のスマートカード。
【請求項４】
前前記拡張ブロックが、機械的接続、導電性接着接続、および金属はんだ接続のうちの１つによって前記フレキシブル回路の接点および／または前記接触パッドの接点に電気的に接続されている、請求項１〜３のいずれか一項に記載のスマートカード。
【請求項５】
前記スマートカードは、生体認証モジュールをさらに備え、前記生体認証モジュールは、前記スマートカードのベアラの身元を認証し、前記カードの前記ベアラの認証に応答して、前記スマートカードの前記セキュアエレメントにデータを送信するよう命令するように構成されている、請求項１〜４のいずれか一項に記載のスマートカード。
【請求項６】
前記スマートカードが、前記セキュアエレメントと通信するように構成されたアンテナを備える、請求項１〜５のいずれか一項に記載のスマートカード。
【請求項７】
前記カード本体が、プラスチック材料から形成され、好ましくはポリ塩化ビニル（ＰＶＣ）および／またはポリウレタン（ＰＵ）を含む、請求項１〜６のいずれか一項に記載のスマートカード。
【請求項８】
スマートカードを製造する方法であって、
接触パッドとの接続のための接点を有し、セキュアエレメントとの接続のために構成されたフレキシブル回路を提供する工程と、
拡張ブロックを通る導電路を介して接触パッド上の接点をフレキシブル回路基板上の接点に電気的に接続する工程と、
前記セキュアエレメントが前記接触パッドと重ならないようにセキュアエレメントをフレキシブル回路基板に電気的に接続する工程と、そして
フレキシブル回路を封入するカード本体を提供するために、フレキシブル回路に積層プロセスを適用する工程と
を含む方法。
【請求項９】
前記拡張ブロックをフレキシブル回路基板に電気的に接続する前に、前記拡張ブロックを前記接触パッドに電気的に接続する工程をさらに含む、請求項８に記載の方法。
【請求項１０】
前記カード本体から積層材料を除去して前記接触パッドの前記表面を露出させる工程をさらに含む、請求項８または９に記載の方法。
【請求項１１】
前記方法が、生体認証モジュールを前記フレキシブル回路に電気的に接続する工程をさらに含み、前記生体認証モジュールが、前記スマートカードのベアラの前記身元を認証し、前記スマートカードの前記ベアラの認証に応答して前記スマートカードの前記セキュアエレメントにデータを送信するよう命令するように構成されている、請求項８、９または１０に記載の方法。
【請求項１２】
前記積層プロセスが、少なくとも１５０℃の温度で適用される熱積層プロセスである、請求項８〜１１のいずれか一項に記載の方法。
【請求項１３】
スマートカードを製造する方法であって、
接触パッドとの接続のための接点を有するフレキシブルスマートカード回路を封入するカード本体を提供する工程であり、セキュアエレメントが前記カード本体内に配置され前記フレキシブル回路に電気的に接続されており、前記接点を露出する前記カード本体内に空洞が形成されているカード本体を提供する工程と、
前記空洞内に、そこを通る経路を画定する拡張ブロック、および接点を有する接触パッドを挿入する工程と、そして
前記拡張ブロックの前記経路を介して前記接触パッド上の接点を前記フレキシブル回路上の前記接点に電気的に接続する工程と
を含む方法。
【請求項１４】
前記拡張ブロックと前記接触パッドとを前記空洞に挿入する前に、前記拡張ブロックを前記接触パッドに電気的に接続する工程をさらに含む、請求項１３に記載の方法。
【請求項１５】
前記接点を電気的に接続する工程が、金属はんだ接続を形成する工程を含む、請求項１３または１４に記載の方法。
【請求項１６】
前記電気的接続が、機械的接続または導電性接着接続を含む、請求項１３または１４に記載の方法。
【請求項１７】
前記カード本体を提供する工程が、前記カード本体から材料を除去して前記空洞を形成し前記接点を露出させる工程を含む、請求項１３〜１６のいずれか一項に記載の方法。
【請求項１８】
前記接触パッド上の接点を、前記拡張ブロックの前記経路を介して前記フレキシブル回路上の前記接点に電気的に接続した後に、前記カード本体に積層プロセスを適用することをさらに含む、請求項１３から１７のいずれか一項に記載の方法。
【請求項１９】
前記カード本体を提供する工程が、前記カード本体を積層プロセスによって形成する工程を含む、請求項１３〜１７のいずれか一項に記載の方法。
【発明の詳細な説明】
【技術分野】
【０００１】
本発明は、スマートカードおよびその製造方法に関し、より詳細には、スマートカードから露出される構成要素を、製造中にスマートカードの埋め込み型回路基板に取り付ける方法に関する。
【背景技術】
【０００２】
スマートカードという用語は、一般に、１つ以上の集積回路が埋め込まれた任意のポケットサイズのカードを指す。一般的なスマートカードのアプリケーションの例としては、支払カード、アクセスカードなどが挙げられる。
【０００３】
接触パッドは、外部装置との電気的接触を可能にするスマートカードの指定された表面領域である。スマートカードが支払カード等の場合など、機密データを含む場合、セキュアエレメントがデータの記憶および処理に使用される。セキュアエレメントは、アプリケーションコードおよびアプリケーションデータを安全に記憶し、管理できるセキュアメモリおよび実行環境を提供する耐タンパチップである。セキュアエレメントは、カードに記憶されたデータへのアクセスが認証された場合にのみ提供されることを保証する。従来のスマートカードでは、セキュアエレメントは、接触パッドとセキュアエレメントとが単一のユニットを形成するように、接触パッドの背面に取り付けられている。接触パッドもセキュアエレメントも含む結合されたユニットは、しばしば接触モジュールと呼ばれる。
【発明の概要】
【発明が解決しようとする課題】
【０００４】
スマートカード技術の最近の進展は、指紋センサなどの生体認証センサをスマートカードに組み込むことを可能にし、セキュリティの向上を可能にした。生体認証センサは、検出された生体認証データを読み取り、これをユーザ検証のためのマイクロコントローラに供給し、検証されると、マイクロコントローラは、セキュアエレメントが接触パッドを通して支払端末などと通信するように命令し、または可能にする。これは、生体認証モジュールがセキュアエレメントと直接通信することを必要とする。しかし、従来の接触モジュールのセキュアエレメントは完全に封入されており、相互作用する容易な方法はない。
【課題を解決するための手段】
【０００５】
したがって、スマートカードが、上記の生体認証などの追加のセキュリティ対策を含む場合、スマートカード内に接触パッドとセキュアエレメントとを別々に、すなわち各構成要素が、スマートカードの回路基板上のそれ自身の「不動産」を占有するように構成することは好都合であることが分かった。この構成は、生体認証モジュールによるセキュアエレメントのより簡単な制御を可能にする。例えば、セキュリティの低いアプリケーションでは、生体認証モジュールによって制御される単純なスイッチをセキュアエレメントと接触パッドとの間に設け、通信を許可または禁止することができる。しかし、この構成はまた、製造上の困難さを生じさせる。
【０００６】
第１の態様から見ると、本発明は、スマートカードであって、フレキシブル回路を封入するカード本体と、カード本体から露出した接点を有する接触パッドと、接触パッドとフレキシブル回路との間のカード本体内に配置された拡張ブロックであり、接触パッドの接点がフレキシブル回路上の接点に導電路を介して電気的に接続されるように導電路を画定する拡張ブロックと、カード本体内に配置されフレキシブル回路に電気的に接続されたセキュアエレメントであり、接触パッドと重ならないセキュアエレメントとを備えるスマートカードを提供する。
【０００７】
このスマートカードでは、接触パッドは、拡張ブロックによって依然として接触パッドを回路に電気的に接続している間に、カード本体から正しい高さで露出されるためにフレキシブル回路から持ち上げられている。したがって、接触パッドの外面は、好ましくは、スマートカードの外面と同一平面にあり、拡張ブロックは、電気的接続を提供するのと同様に、接触パッドと回路との間の正確な間隔を確保する。したがって、この構成は、セキュアエレメントが接触パッドのすぐ後ろ以外のどこかに配置されることを可能にし、それにより、セキュアエレメントとスマートカード内の他の構成要素との間の境界面がより簡単になる。
【０００８】
上記の実施形態は接触パッドに関するものであるが、フレキシブル回路に接続され、スマートカードの本体から露出されることが要求される他の要素に対しても同じ構成が採用されてもよいことが理解されよう。
【０００９】
スマートカードの厚さは、好ましくは、ＩＳＯ／ＩＥＣ７８１６によって規定されたスマートカードの厚さである約３０ミル（〜７６２μｍ）である。同様に、スマートカードは、好ましくは、またＩＳＯ／ＩＥＣ７８１６によって規定されたスマートカードの寸法である３．３７５インチ（〜８６ｍｍ）の高さおよび２．１２５インチ（〜５４ｍｍ）の幅を有する。
【００１０】
種々の構成において、拡張ブロックは、少なくとも２００μｍ、好ましくは、少なくとも３００μｍの高さを有することができる。好ましくは、拡張部材の高さは３５０μｍ〜４５０μｍである。拡張ブロックは、好ましくは、７６２μｍ未満の高さ、すなわちＩＳＯ／ＩＥＣ７８１６スマートカードの、および好ましくは、５００μｍ未満の厚さを有する。
【００１１】
拡張ブロックは、種々の形態をとり得る。例えば、一実施形態では、拡張ブロックは、複数の導電路を画定する電気絶縁材料のブロックを含む。拡張ブロックは貫通孔を含むことができ、導電路は貫通孔を通って延びる。例えば、導電路は、貫通孔の壁に形成された導電性メッキによって画定されてもよい。この構成では、材料の本体は、導電路を互いに絶縁しながら接触パッドを支持する。
【００１２】
１つの構成では、接触パッドおよび／またはフレキシブル回路の接点に接続するために、貫通孔の近隣または上方に別の接点を設けることができる。接点は、導電路が拡張ブロックを通って１つの接点から別の接点へ延びるように貫通孔を覆うように配置することができる。あるいは、接点は、貫通孔を覆わないように配置され、導電路に電気的に接続されて、１つの接点と別の接点との間に電気的接続を形成してもよい。あるいは、またはさらに、貫通孔は、金属はんだまたは導電性エポキシのような導電性材料で充填されていてもよい。
【００１３】
拡張ブロックは、任意の適切な手段によって、フレキシブル回路の接点および／または接触パッドの接点に電気的に接続することができる。例えば、フレキシブル回路および／または接触パッドとの電気的接続は、（表面実装技術などの）機械的接続、導電性接着接続、および金属はんだ接続のうちのいずれか１つを含むことができる。
【００１４】
電気的接続の形成温度（例えば、硬化温度または溶融温度またはリフロー温度）は、カード本体の材料の溶融温度よりも低くてもよい。したがって、電気的接続を形成しても、カードの変形は生じない。一実施形態では、電気的接続は、１５０℃よりも低い、好ましくは１４０℃よりも低い形成温度を有し得る。
【００１５】
カードの十分な寿命を保証するために、従来のはんだ付けができないスマートカードに一般に使用される材料の温度感受性に注意する必要がある。例えば、最も一般的なはんだは、溶融するためには約２４０℃を超す温度に加熱しなければならないが、積層カードを製造するのに使用される最も一般的な材料であるポリ塩化ビニル（ＰＶＣ）は、ほんの１６０℃だけの溶融温度（および、ほんの８０℃だけのガラス転移温度）を有する。積層カード用の充填剤としても一般に使用されているポリウレタン（ＰＵ）は、約２４０℃の温度への暴露によってもダメージを受け得る。
【００１６】
積層後に接触パッドおよび／または拡張ブロックが追加される場合、上記のスマートカードは、カード本体の材料の過熱を避けるために、低温材料を用いて接触パッドおよびフレキシブル回路を拡張ブロックに導電的に接合することができる。低温の電気的接続の使用は、カード材料のいかなる物理的変形も回避する。あるいは、接触パッドおよび拡張ブロックは、カード材料の近傍にない間に、すなわち、カード本体内のその場にない間に、電気的に接続されてもよい。これにより、低温の電気的接続を使用する必要性を否定する一方で、カード材料の物理的変形を回避する。
【００１７】
電気的接続は、導電性接着剤を含むことができ、導電性接着剤は、カード本体を形成する材料の溶融温度よりも低い硬化温度を有することができる。例示的な導電性接着剤には導電性エポキシが含まれ、１つの好ましい実施形態では、接続は異方性導電性フィルム（ＡＣＦ）を含む。しかし、電気的接続を提供するために、もちろん他の非溶融性の導電性樹脂を使用してもよい。
【００１８】
電気的接続は、一般に加熱を必要としない表面実装技術を介する接続などの機械的接続を含むことができる。これは、熱的または物理化学的プロセスを必要としないという利点を有し、準備または待機時間なく室温製造を可能にする。１つの例示的な機械的接続は、エラストマーコネクタ（Ｚｅｂｒａコネクタ（登録商標）ともいう）である。エラストマーコネクタは、対応する端子のそれぞれのステージにかみ合う交互の導電性および非導電性のステージを各々有する、嵌合された雄型端子および雌型端子を備える。
【００１９】
別の例では、機械的接続は、拡張ブロックの表面に一致するように変形するように構成される埋め込み型導電性スタブを含むことができる。例えば、１つの構成では、スタブは、例えば、その表面に形成されたメッキに電気的に接続するように、拡張ブロックに形成された貫通孔に圧入するように構成することができる。スタブは、例えば、炭素または銀または銅製であり得る。あるいは、スタブは、かみ合いに（例えば貫通孔内に）圧入された後、加熱されて、はんだがリフローして永久的な接続を形成するように、はんだ材料製であり得る。
【００２０】
電気的接続がはんだ接続を含む場合、はんだ接続を形成するはんだ材料は、カード本体を形成する材料の溶融温度よりも低いリフロー温度を有することがあり、種々の実施形態では、はんだ材料の溶融温度は、カード本体を構成する材料の溶融温度よりも低いことがある。
【００２１】
はんだ材料を使用する場合、はんだ材料はスズ−ビスマスはんだであってもよい。このようなはんだは、約１３９℃の一般的な溶融温度を有する。これは、ＰＶＣの１６０℃の溶融温度よりも低い。
【００２２】
金属はんだ材料を使用することにより、カードが接触パッドとフレキシブル回路との間に金属−金属接続を採用することが可能になり、スマートカードに最大寿命を提供するための高い耐久性を提供する。−例えば、一般的な支払カードは、３年の最小寿命を有しなければならない。
【００２３】
はんだまたは導電性接着剤のいずれかが使用される場合、はんだまたは導電性接着剤は、拡張ブロックの貫通孔を少なくとも部分的に充填してもよく、一実施形態では、貫通孔を介して、接触パッドの接点とフレキシブル回路との間に連続的接続が形成されてもよい。
【００２４】
接触パッドに加えて１つ以上の構成要素をフレキシブル回路に接続することもできる。これらの構成要素は、カード本体内に埋め込まれてもよく（例えば、積層プロセス前に取り付けられてもよい）、カード本体から露出されてもよい。
【００２５】
例えば、セキュアエレメントは、フレキシブル回路に接続されてもよい。セキュアエレメントは、好ましくは、カード本体内に埋め込まれる。フレキシブル回路は、拡張ブロックを介してセキュアエレメントと接触パッドとの間の通信を可能にするように構成することができる。上記のように、回路は、好ましくは、セキュアエレメントが拡張ブロックに接続された接触パッドと重ならないように（すなわち、スマートカードの面と直角な方向に見て）配置される。
【００２６】
別の例では、生体認証モジュールをフレキシブル回路に接続することができる。生体認証モジュールは、カードのベアラの生体認証特性を検出して、記憶された生体認証データに基づいてその身元を認証するように構成することができる。生体認証モジュールは、カードのベアラの認証に応答してスマートカードのセキュアエレメントにデータを送信するように命令するように構成されてもよい。１つの特定の実施形態では、生体認証は指紋である。
【００２７】
生体認証モジュールは、積層の前または後に、またはその２つの組合せで取り付けられてもよい。例えば、生体認証モジュールは、処理ユニットおよび生体認証センサを含むことができる。生体認証モジュールの処理ユニットは、カード本体内に埋め込まれていてもよく（すなわち、積層プロセスなどの前に回路に接続された）、生体認証モジュールのセンサは、カード本体から露出されていてもよい。この配置は、積層または他の製造技術の間に経験した高圧および温度による、センサ内の傷つきやすい構成要素がダメージを受けることを防止する。
【００２８】
回路は、好ましくは、生体認証モジュール（そして特に、その処理ユニット）とセキュアエレメントおよび／または接触パッドとの間の通信を可能にするように構成される。別の実施形態では、回路は、セキュアエレメントと外部デバイスとの間の通信を許可または防止するためのスイッチを含むことができる（例えば、スイッチはセキュアエレメントと接触パッドの間に配置され得る）。次いで、回路は、好ましくは、生体認証モジュール（そして特に、その処理ユニット）がスイッチを制御することを許可するように構成される。
【００２９】
接触パッドに加えて、スマートカードは、アンテナをさらに備えることができる。アンテナは、好ましくは、セキュアエレメントと通信するように構成される。したがって、スマートカードは、接触トランザクションも非接触トランザクションも許可することができる。
【００３０】
スマートカードは、アンテナに接続された近距離無線通信（ＮＦＣ）トランスポンダを含むことができる。スマートカードは、好ましくは、スマートカード内のエネルギー蓄積構成要素を用いて受信ＲＦ信号を整流しエネルギーを蓄積するように構成されたエネルギー収集回路を含む。
【００３１】
カード本体は、プラスチック材料、好ましくはＰＶＣおよび／またはＰＵから形成することができる。例えば、カード本体は、フレキシブル回路の両側にＰＶＣ層を備えることができ、ＰＶＣ層の間に中間層を備える。中間層は、ＰＶＣまたはＰＵなどのプラスチック材料を含むことができる。
【００３２】
種々の実施形態では、フレキシブル回路は、好ましくは、プラスチック材料上に印刷されるフレキシブルプリント基板である。プラスチック材料は、好ましくは、積層温度よりも高い溶融温度を有し、および／または積層によってダメージを受けない。例示的なプラスチック材料としては、ポリイミド、ポリエステルおよびポリエーテルエーテルケトン（ＰＥＥＫ）が挙げられる。
【００３３】
第２の態様から見ると、本発明は、スマートカードを製造する方法であって、接触パッドに接続するための接点を有しセキュアエレメントに接続するように構成されたフレキシブル回路を提供する工程と、拡張ブロックを通る導電路を介して接触パッド上の接点をフレキシブル回路基板上の接点に電気的に接続する工程と、セキュアエレメントが接触パッドと重ならないようにセキュアエレメントをフレキシブル回路基板に電気的に接続する工程と、フレキシブル回路を封入するカード本体を提供するために、フレキシブル回路に積層プロセスを適用する工程とを含む方法を提供する。
【００３４】
積層プロセス前の、接触パッド上の接点によるフレキシブル回路基板上の接点への拡張ブロックの経路を介した電気的な接続は、カード材料のあらゆる物理的変形を回避させる。
【００３５】
種々の実施形態では、スマートカードは第１の態様に記載のスマートカードであり、その好ましい特徴のいずれか１つ以上またはすべてをこの方法にも適用することができる。
【００３６】
上記のように、種々の形態の電気的接続を用いて、接点の一方または両方を拡張ブロックに接続することができる。例えば、電気的接続は、機械的接続、導電性接着接続、金属はんだ接続、またはそれらの組合せのうちのいずれか１つであり得る。
【００３７】
電気的接続が導電性接着剤を使用する場合、本方法は、導電性接着剤を接触パッドの１つ以上またはすべての接点、拡張ブロックの片側または両側、およびフレキシブル回路の接点に塗布する工程を含むことができる。導電性接着剤は、導電性エポキシを含むことができ、好ましくは、異方性導電性フィルム（ＡＣＦ）である。
【００３８】
電気的接続が機械的接続を使用する場合、１つ以上の拡張ブロック、接触パッド、フレキシブル回路およびカード本体が機械的接続を備えてもよい。したがって、電気的に接続するステップは、好ましくは、接触パッドを拡張ブロックに機械的に電気的に接続するステップ、および／または拡張ブロックをフレキシブル回路またはカード本体に機械的に電気的に接続するステップを含む。
【００３９】
一実施形態では、拡張ブロックは穴を含み、機械的接続は、フレキシブル回路および接触パッドの一方または両方の接点上に形成された導電性突起を含む。機械的に電気的に接続するステップは、突起を拡張ブロックの穴に圧入するステップを含むことができる。オプションとして、穴は貫通孔であってもよいが、あるいは、電気的に接続されたブラインドホールであってもよい。１つの構成では、機械的接続が、導電性突起を導電性ライニングに電気的に接続して接触パッドと回路との間に電気的接続を形成するように、穴は導電性ライニングを有する。オプションとして、導電性突起ははんだ材料から形成されてもよい。
【００４０】
電気的接続がはんだ接続を使用する場合、電気的に接続するステップは、好ましくは、はんだ材料をリフローさせて電気的接続を形成させるためにはんだ材料を加熱する工程を含む。はんだのリフロー温度は、好ましくは、カード本体を形成する材料の溶融温度よりも高い温度である。１つの構成では、拡張ブロックは、貫通孔を含み、本方法は、貫通孔を通して接触パッドの接点とフレキシブル回路の接点との間の電気的接続をはんだに形成させる工程を含む。
【００４１】
積層プロセスをフレキシブル回路に適用する工程は、フレキシブル回路を積層シートの間に挟んで、プレ積層カード本体を形成するステップを含むことができる。フレキシブル回路は、積層シートの間に挟まれる前に中間層に入れられてもよい。接触パッドの表面を覆う積層シートは、積層前に打ち抜いて、接触パッドを露出させる穴を形成することができる。プレ積層カード本体を圧縮して加熱して、単一の積層カード本体を形成することができる。
【００４２】
積層プロセスは、約１５０℃よりも高い温度で行われてもよい。一般的な積層温度はしばしば２００℃よりも低い。例えば、一実施形態では、積層は、１６０℃〜１９０℃の温度で行われてもよい。
【００４３】
カード本体は、熱積層に適したプラスチック材料から形成することができる。例えば、カード本体は、ＰＶＣおよび／またはＰＵの１つ以上の層を含むことができる。一実施形態では、カード本体は、フレキシブル回路の両側に外層（例えば、ＰＶＣ層）を備え、外層の間に中間層を備える。中間層は、ＰＶＣまたはＰＵなどのプラスチック材料、またはシリコーンなどの他の材料を含むことができる。中間層は、液体または半固体／ペレット化材料を含むことができる。
【００４４】
本方法は、接触パッドをカード本体の表面上に露出させるステップを含むことができる。これは、接触パッドが露出されるようにカード本体から積層材料を除去する工程を含むことができる。積層材料の除去は、フライス加工などの任意の適切なプロセスによって行うことができる。接触パッドとカードリーダーとの間の良好な電気的接触を確保するために、材料の除去が必要なことがある。積層プロセスの前に積層シートに穴が形成されたとしても、積層プロセス中に積層材料が接触パッド上で溶融し、積層材料の薄層が接触パッド上に形成されることがある。積層材料のこの薄層は、上記のように除去することができる。
【００４５】
いくつかの実施形態では、セキュアエレメントをフレキシブル回路に接続することができる。この場合、セキュアエレメントは、好ましくは、積層プロセスの前に、すなわちカード本体内に封入されるように接続される。
【００４６】
いくつかの実施形態では、生体認証モジュールをフレキシブル回路に接続することができる。生体認証モジュールは、積層プロセスの前または後に、またはその２つの組合せで取り付けられてもよい。例えば、生体認証モジュールは、処理ユニットおよび生体認証センサを含むことができる。生体認証モジュールの処理ユニットは、積層前に回路に接続され、センサは積層後に取り付けられてもよい。
【００４７】
第３の態様から見ると、本発明は、スマートカードを製造する方法であって、接触パッドとの接続のための接点を有するフレキシブル回路を封入するカード本体であり、セキュアエレメントがカード本体内に配置されフレキシブル回路に接続され、接点を露出させるカード本体内に空洞が形成されているカード本体を提供する工程と、そこを通る経路を画定する拡張ブロック、および接点を有する接触パッドを空洞内に挿入する工程と、そして拡張ブロックの経路を介して接触パッド上の接点をフレキシブル回路上の接点に電気的に接続する工程とを含む、スマートカードを製造する方法を提供する。
【００４８】
接点を電気的に接続するステップは、カード本体を形成する材料の溶融温度よりも低い温度で行われてもよい。経路は、導電性材料によって充填されるべき導電路または貫通孔であってもよい。
【００４９】
拡張ブロックおよび接触パッドは、空洞内への挿入前に電気的に接続されてもよい。これは、カード材料のいかなる物理的変形も回避し、したがって、カード本体を形成する材料の溶融温度をよりも高い温度で行われてもよい。拡張ブロックは、任意の適切な手段によって接触パッドの接点に電気的に接続することができる。例えば、接触パッドとの電気的接続は、機械的接続（表面実装技術を介するなど）、導電性接着接続、および金属はんだ接続のいずれか１つを含むことができる。
【００５０】
種々の実施形態では、スマートカードは第１の態様に記載のスマートカードであり、その好ましい特徴のいずれか１つ以上またはすべてをこの方法にも適用することができる。
【００５１】
上記のように、種々の形態の電気的接続を用いて、接点の一方または両方を拡張ブロックに接続することができる。例えば、電気的接続は、機械的接続、導電性接着接続、金属はんだ接続、またはそれらの組合せのうちのいずれか１つであり得る。一実施形態では、接触パッドとフレキシブル回路とを電気的に接続するステップは、１５０℃よりも低い、好ましくは１４０℃よりも低い温度で行われてもよい。
【００５２】
電気的接続が導電性接着剤を使用する場合、本方法は、導電性接着剤を接触パッドの１つ以上またはすべての接点、拡張ブロックの片側または両側、およびフレキシブル回路の接点に塗布する工程を含むことができる。このステップは、好ましくは、接触パッドを空洞内に挿入する前に行われてもよい。本方法は、好ましくは、カード本体を形成する材料の溶融温度よりも低い温度で導電性接着剤を硬化させる工程をさらに含む。導電性接着剤は導電性エポキシを含むことができ、好ましくは、異方性導電性フィルム（ＡＣＦ）である。
【００５３】
電気的接続が機械的接続を使用する場合、１つ以上の拡張ブロック、接触パッド、フレキシブル回路およびカード本体が機械的接続を備えてもよい。したがって、電気的に接続するステップは、好ましくは、接触パッドを拡張ブロックに機械的に電気的に接続する工程、および／または拡張ブロックをフレキシブル回路またはカード本体に機械的に電気的に接続する工程を含む。ステップは、好ましくは、ほぼ周囲の温度で行われる。
【００５４】
一実施形態では、拡張ブロックは穴を含み、機械的接続は、フレキシブル回路および接触パッドの一方または両方の接点上に形成された導電性突起を含む。機械的に電気的に接続するステップは、次いで、突起を拡張ブロックの穴に圧入する工程を含むことができる。オプションとして、穴は貫通孔であってもよいが、あるいは、電気的に接続されたブラインドホールであってもよい。１つの構成では、穴は、機械的接続が導電性突起を導電性ライニングに電気的に接続して接触パッドと回路との間に電気的接続を形成するように、導電性ライニングを有する。オプションとして、導電性突起は、はんだ材料から形成されてもよい。
【００５５】
電気的接続がはんだ接続を使用する場合、電気的に接続するステップは、好ましくは、はんだ材料をリフローさせて電気的接続を形成させるためにはんだ材料を加熱する工程を含む。加熱は、好ましくは、カード本体を形成する材料の溶融温度よりも低い温度までである。接触パッドをフレキシブル回路に電気的に接続する工程は、超音波はんだ付けを使用することができ、すなわち、はんだ材料を溶融するために超音波エネルギーが使用される。超音波加熱プロセスを使用すると、熱のみを適用する場合よりも低い温度ではんだがリフローすることになる。１つの構成では、拡張ブロックは貫通孔を含み、本方法は、貫通孔を通して接触パッドの接点とフレキシブル回路の接点との間の電気的接続をはんだに形成させる工程を含む。
【００５６】
カード本体を提供する工程は、カード本体から材料を除去して空洞を形成しフレキシブル回路の接点を露出させる工程を含むことができる。好ましくは、材料を除去するステップは、接触パッドおよび拡張ブロックがそこに収容されるときに接触パッドがカード本体の表面を越えて突出しないように十分に除去する工程を含む。
【００５７】
材料を除去するステップは、回路の接点から材料を除去して、接触パッドまたは拡張ブロックとの接続のための平らな接触面を形成する工程を含むことができる。これは、良好な電気的接続を確保するために、はんだ付けまたは接着剤の接続が行われる場合に特に有用である。
【００５８】
材料を除去するステップは、好ましくは、フレキシブル回路を露出させない、すなわち接点のみが露出される。
【００５９】
材料の除去は、フライス加工などの任意の適切なプロセスによって実行することができる。フライス加工が記載されているが、空洞を形成する任意の適切な方法を使用することができることに留意されたい。例えば、空洞は代わりに、カード本体内で化学的にエッチングされてもよく、および／または積層プロセス前／中に少なくとも部分的に形成されてもよい。
【００６０】
材料を除去するステップは、カードが積層された後、または積層の前に、例えば、構成要素がすでに定位置にある場合に実行することができる。代替の実施形態では、カード本体は、空洞を形成するために材料の除去が必要とされないように形成されてもよい。例えば、空洞は、カードの積層前に切断されてもよく、または積層プロセス中に成形されてもよい。例えば、積層シートは、より長いフライス加工プロセスを避けるために積層前に打ち抜かれてもよい。
【００６１】
カード本体を提供する工程は、カード本体を形成する工程を含むことができる。一実施形態では、カード本体は熱積層プロセスによって形成される。熱積層プロセスは、約１５０℃よりも高い温度で行われてもよい。一般的な積層温度はしばしば２００℃よりも低い。例えば、一実施形態では、積層は、１６０℃〜１９０℃の温度で行われてもよい。
【００６２】
カード本体は、熱積層に適したプラスチック材料から形成することができる。例えば、カード本体は、ＰＶＣおよび／またはＰＵの１つ以上の層を含むことができる。一実施形態では、カード本体は、フレキシブル回路の両側に外層（例えば、ＰＶＣ層）を備え、外層の間に中間層を備える。中間層は、ＰＶＣまたはＰＵなどのプラスチック材料、またはシリコーンなどの他の材料を含むことができる。中間層は、液体または半固体／ペレット化材料を含むことができる。
【００６３】
いくつかの実施形態では、セキュアエレメントをフレキシブル回路に接続することができる。この場合、セキュアエレメントは、好ましくは、積層プロセスの前に、すなわちカード本体内に封入されるように、接続される。
【００６４】
いくつかの実施形態では、生体認証モジュールをフレキシブル回路に接続することができる。生体認証モジュールは、積層プロセスの前または後に、またはその２つの組合せで取り付けられてもよい。例えば、生体認証モジュールは、処理ユニットおよび生体認証センサを含むことができる。生体認証モジュールの処理ユニットは積層前に回路に接続されてもよく、センサは積層後に取り付けられてもよい。
【００６５】
本発明の特定の好ましい実施形態を、例示のみを意図して、添付の図面を参照して、より詳細に説明する。
【図面の簡単な説明】
【００６６】
【図１】スマートカード用のフレキシブルプリント回路基板アセンブリである。
【図２】スマートカードの接触パッドをフレキシブルプリント回路基板アセンブリに接続するための拡張部材の平面図である。
【図３】スマートカードの接触パッドをフレキシブルプリント回路基板アセンブリに接続するための拡張部材の側面図である。
【図４】スマートカードの接触パッドをフレキシブル回路基板アセンブリに接続するための代替の拡張部材の平面図である。
【図５】スマートカードの接触パッドをフレキシブル回路基板アセンブリに接続するための代替の拡張部材の側面図である。
【図６】接触パッドをスマートカード内のフレキシブルプリント回路基板アセンブリに取り付ける第１の方法のステップである。
【図７】接触パッドをスマートカード内のフレキシブルプリント回路基板アセンブリに取り付ける第１の方法のステップである。
【図８】接触パッドをスマートカード内のフレキシブルプリント回路基板アセンブリに取り付ける第１の方法のステップである。
【図９】接触パッドをスマートカード内のフレキシブルプリント回路基板アセンブリに取り付ける第１の方法のステップである。
【図１０】接触パッドをスマートカード内のフレキシブルプリント回路基板アセンブリに取り付ける第１の方法のステップである。
【図１１】この方法によって製造されたスマートカードである。
【図１２】接触パッドをスマートカード内のフレキシブルプリント回路基板アセンブリに取り付ける第２の方法のステップである。
【図１３】接触パッドをスマートカード内のフレキシブルプリント回路基板アセンブリに取り付ける第２の方法のステップである。
【図１４】接触パッドをスマートカード内のフレキシブルプリント回路基板アセンブリに取り付ける第２の方法のステップである。
【図１５】接触パッドをスマートカード内のフレキシブルプリント回路基板アセンブリに取り付ける第３の方法のステップである。
【図１６】接触パッドをスマートカード内のフレキシブルプリント回路基板アセンブリに取り付ける第３の方法のステップである。
【図１７】接触パッドをスマートカード内のフレキシブルプリント回路基板アセンブリに取り付ける第３の方法のステップである。
【発明を実施するための形態】
【００６７】
明確にするために、図１〜１０および１２〜１７に示す種々の部分の厚さは、かなり誇張されていることに留意されたい。図に示すタイプのスマートカードの実施態様では、カードの幅は約８６ｍｍである一方、カードの厚さは１ｍｍ未満である。７６２μｍの外面間の総厚は、ＩＳＯ規格に基づいて一般的である。
【００６８】
図１は、スマートカード１０２用のフレキシブルプリント回路基板アセンブリ（ＦＰＣＢＡ）１０を示す。回路基板アセンブリ１０は、スマートカード１０２内に埋め込まれるべき種々の構成要素が取り付けられたフレキシブルプリント回路基板１２を備える。これらの構成要素は、後記のような熱積層プロセス中に生じる温度および圧力に耐えることができる。
【００６９】
図１には、両方ともフレキシブル回路基板１２に接続されているセキュアエレメント１４および指紋処理ユニット１６が示されている。しかし、種々の実施形態では、これらのいずれも存在しないかもしれず、および／または、さらなる構成要素が存在するかもしれない。
【００７０】
指紋処理ユニット１６は、図１０に示すエリア指紋リーダ１３０などの指紋センサ１３０に接続される場合、指紋認証モジュールの一部を形成する。処理ユニット１６は、生体認証照合を合理的な時間内に実行できるように、非常に低電力かつ非常に高速であるように選ばれるマイクロプロセッサを備える。
【００７１】
指紋認証エンジンは、指紋リーダ１３０に提示された指または親指をスキャンし、処理ユニット１６を用いてスキャンされた指または親指の指紋を予め記憶された指紋データと比較するように構成される。次いで、スキャンされた指紋は、予め記憶された指紋データと一致するかどうかについて判定が行われる。
【００７２】
一致と判定されると、指紋認証エンジンはセキュアエレメント１４を認証して、接触パッド２０を介して（図１に破線で示す）カードからのデータを送信する。ＦＰＣＢＡ１０上には、接触パッド２０が拡張ブロック１８を介して接続される複数の導電性接点１３が形成されている。
【００７３】
図２および３は、拡張ブロック１８を示す。拡張ブロック１８は、スマートカード１０２の面とほぼ直角な方向にフレキシブル回路基板１２から離れるように延びる。拡張ブロック１８は、約３００μｍ〜４００μｍの高さを有する。
【００７４】
拡張ブロック１８は、貫通孔３４が形成される電気絶縁部材３２から形成されている。貫通孔３４は、拡張ブロック１８の一方の面から他方へ延びている。貫通孔３４は、拡張ブロック１８の一方の面から他方へ電気を導くように導電性ライニングによって並べられている。
【００７５】
拡張ブロック１８の各面には、複数の接点３６、３８が形成されている。拡張ブロックの上面に形成された接点３６は、接触パッド２０の接点２１に対応するように構成されている。拡張ブロック１８の下面に形成された接点３８は、ＦＰＣＢＡ１０の接点１３に対応するように構成されている。上面の接点３６の各々は、貫通孔３４の一方を介して下面の接点３８に電気的に接続されている。したがって、接触パッド１８が回路基板１２の接点１３および接触パッド２０の接点２１に接続されると、接触パッド２０は回路基板１２に電気的に接続される。
【００７６】
接点３６、３８は、図２に示すように、貫通孔３４に隣接して形成することができる。あるいは、図４および５に示すように、貫通孔３４’が下面の接点３８’から上面に形成された接点２６’まで延びるように、貫通孔３４’を接点３６’、３８’の中心に配置することができる。
【００７７】
第１の製造方法に従って、積層カード本体２２が最初に形成される。スマートカード１０２の本体２２を形成するために、ＦＰＣＢＡ１０は、ポリウレタン（ＰＵ）充填材２４に入れられ、２つのポリ塩化ビニル（ＰＶＣ）シート２６、２８の間に挟まれる。２つのＰＶＣシート２６、２８は、各々、約８０μｍの厚さを有し、ＦＰＣＢＡ１０およびＰＵ充填材２４によって形成された中間層は、約５４０μｍの厚さを有する。次いで、予め積層されたカード本体を圧縮し、１６０℃〜１９０℃の温度に加熱して、単一の積層カード本体２２を形成する。積層カード本体２２を図６に示す。
【００７８】
次に、積層されたカード本体２２の中に空洞３０がフライス加工される。空洞３０は、接触パッド２０の表面がカード本体２２の表面と同一平面になるように、拡張ブロック１８および接触パッド２０を収容するのに十分な深さまでフライス加工される。フライス加工はまた、接点が、平坦化され拡張ブロック１８を取り付けることができる均一の平らな表面を形成するように、ＦＰＣＢＡ１０の接点１３を切り込む。空洞３０を図７に示す。
【００７９】
拡張ブロック１８をスマートカードに取り付けるために、スズ−ビスマスはんだを使用して、拡張ブロック１８の後部接点３８上にはんだ小塊を形成する。次いで、図８に示すように、拡張ブロック１８の接点３８を回路基板１２の接点１３と整列するように、拡張ブロック１８が空洞３０内に挿入される。
【００８０】
拡張ブロック１８とＦＰＣＢＡ１０との間に永久的接続を形成するために、超音波エネルギーを使用して、スズ−ビスマスはんだ小塊をそのリフロー温度よりも高く加熱する。スズ−ビスマスはんだを使用すると、カード本体２２の材料にダメージを与えないその溶融温度（約１３９℃）よりも低い温度で構成要素をリフローすることができる。スズ−ビスマスはんだは、接触パッド２０がＦＰＣＢＡ１０のセキュアエレメント１６および他の構成要素１４と通信するために必要とされる接続を提供するのに十分導電性である。
【００８１】
次に、接触パッド２０が拡張ブロック１８に接続される。再び、スズ−ビスマスはんだを使用して、拡張ブロック１８の上面の接点３６上にはんだ小塊３４を形成する。次いで、図９に示すように、拡張ブロック１８の上部接点３６が接触パッド２０の接点２１と整列するように、接触パッド２０が空洞３０内に挿入される。超音波エネルギーをまた使用して、リフロー温度よりも高くスズ−ビスマスはんだ小塊３４を加熱して、接触パッド２０と拡張ブロック１８との間の永久的接合を形成する。
【００８２】
図１０および１１は、接触パッド２０が、このように、拡張ブロック１８を介してセキュアエレメント１６に電気的に接続されている場合の組み立てられたカード１０２を示す。さらに、拡張ブロック１８は、接触パッド２０を、スマートカード本体２２の前面と同一平面になるように、正しい高さで支持する。
【００８３】
第２の製造方法に従って、空洞３０を有するカード本体２２が、第１の実施形態と同様に（図６および７に示すように）形成される。しかし、第２の製造方法では、拡張ブロック１８と接触パッド２０とが、積層カード本体２２の空洞３０内に挿入される前に接続されている。
【００８４】
拡張ブロック１８を接触パッド２０に接続するために、はんだ小塊が拡張ブロック１８の上部接点３６上に形成される。次いで、図１２および１３に示すように、拡張ブロック１８の上面の接点３６が、接触パッド２０の接点２１と整列するように、接触パッド２０が拡張ブロック１８の上面に配置される。
【００８５】
第１の製造方法と異なり、拡張ブロック１８と接触パッド２０とを接続するために、カード本体の材料の溶融温度よりも低い溶融温度を有するはんだを使用する必要はない。拡張ブロック１８と接触パッド２０とを、それらを空洞３０に挿入する前に接続することによって、任意の適切なはんだ材料を使用することができる。さらに、拡張ブロック１８と接触パッド２０との間の接続を検査して良好な接触を確保することができる。
【００８６】
拡張ブロック１８および接触パッド２０をスマートカードに取り付けるために、スズ−ビスマスはんだを使用して、拡張ブロック１８の後部接点３８上にはんだ小塊を形成する。次いで、図１４に示すように、拡張ブロック１８の接点３８が回路基板１２の接点１３と整列するように、拡張ブロック１８と接触パッド２０とを空洞３０に挿入する。
【００８７】
拡張ブロック１８とＦＰＣＢＡ１０との間に永久的接続を形成するために、超音波エネルギーを使用して、スズ−ビスマスはんだ小塊をそのリフロー温度よりも高く加熱する。スズ−ビスマスはんだを使用することにより、カード本体２２の材料にダメージを与えない溶融温度（約１３９℃）よりも低い温度で構成要素をリフローすることができる。スズ−ビスマスはんだは、接触パッド２０がＦＰＣＢＡ１０のセキュアエレメント１６および他の構成要素１４と通信するために必要とされる接続を提供するのに十分導電性である。
【００８８】
したがって、組み立てられたカード１０２では、接触パッド２０は、拡張ブロック１８を介してセキュアエレメント１６に電気的に接続される。さらに、拡張ブロック１８は、接触パッド２０を、カード本体２２の前面と同一平面になるように、正しい高さで支持する。
【００８９】
第１と第２の両製造方法において、カード本体２２を形成した後に電気的接続を行う場合に、好ましくは、例えば、接触パッド２０、拡張ブロック１８とＦＰＣＢＡ１０との間の電気的接続の形成温度（例えば、硬化温度、溶融温度またはリフロー温度）が、カード本体２２の材料の溶融温度よりも低くなるようにする。従って、電気的接続を形成してもカード本体２２が変形することはない。これを達成するために、電気的接続は１５０℃よりも低い、好ましくは１４０℃よりも低い形成温度を有することが期待される。
【００９０】
例えば、最も一般的なはんだは、溶融するためには約２４０℃を超す温度に加熱しなければならないが、積層カードを製造するのに使用される最も一般的な材料であるポリ塩化ビニル（ＰＶＣ）は、ほんの１６０℃だけの溶融温度（および、ほんの８０℃だけのガラス転移温度）を有する。ラミネートカード用の充填材としても一般に使用されているポリウレタン（ＰＵ）は、約２４０℃の温度への暴露によってダメージを受ける。
【００９１】
カード本体材料の過熱を避けるために、低融点はんだが使用される。低温の電気的接続の使用は、カード材料のいかなる物理的変形も回避する。
【００９２】
代替的に（図示せず）、導電性接着剤を使用して、接触パッド２０およびＦＰＣＢＡ１０を拡張ブロック１８に導電的に接合することができる。導電性接着剤は、好ましくは、カード本体２２を形成する材料の溶融温度よりも低い硬化温度を有する。例示的な導電性接着剤には導電性エポキシが含まれ、１つの好ましい実施形態では、接続は異方性導電性フィルム（ＡＣＦ）を含む。しかし、電気的接続を提供するために、もちろん他の非溶融性の導電性樹脂を使用してもよい。
【００９３】
さらなる代替の接続（図示せず）は、接触パッド２０およびＦＰＣＢＡ１０を拡張ブロック１８に導電的に接合するための機械的接続である。表面実装技術を介する接続などの機械的接続は、一般には加熱を必要としない。これは、熱的または物理化学的プロセスを必要としないという利点を有し、準備または待機時間なく室温製造を可能にする。１つの例示的な機械的接続は、エラストマーコネクタ（Ｚｅｂｒａコネクタ（登録商標）ともいう）である。エラストマーコネクタは、対応する端子のそれぞれのステージにかみ合う交互の導電性および非導電性のステージを各々有する、嵌合された雄型端子および雌型端子を備える。
【００９４】
あるいは、機械的接続は、拡張ブロック１８の表面に一致するように変形するように構成される埋め込み型導電性スタブを含むことができる。スタブは、接点３６、３８に電気的に接続するように、拡張ブロック１８に形成された貫通孔３４に圧入するように構成することができる。スタブは、炭素または銀または銅製であり得る。あるいは、スタブは、かみ合いに（例えば貫通孔内に）圧入された後、加熱されて、はんだがリフローして永久的な接続を形成するように、はんだ材料製であり得る。
【００９５】
図１５〜１７は、上記の第１および第２の方法の変形であるスマートカード１０２の第３の製造方法を示している。第１および第２の実施形態に関して説明した構成要素に対応する構成要素は、同じ参照番号を１００増やしている。繰り返しを避けるために、これらの方法の間の相違点のみを以下に説明する。第１および第２の方法に関連する構成要素の説明は、第３の方法に関して以下に説明する対応する構成要素に適用される。
【００９６】
第３の製造方法では、拡張ブロック１１８および接触パッド１２０は、取り付けられたプレ積層であり、カード本体１２２は、接触パッド１２０と拡張ブロック１１８とがＦＰＣＢＡ１１０に接続された後に積層される。はんだが使用されて、拡張ブロック１１８の上面の接点１３６上にはんだ小塊１３４を形成する。次いで、接触パッド１２０は、拡張ブロック１１８の上面の接点１３６が接触パッド１２０の接点１２１と整列するように、拡張ブロック１１８の上面に配置される。
【００９７】
次に、拡張ブロック１１８がＦＰＣＢＡ１１０に接続される。再び、はんだが使用されて、拡張ブロック１１８の後部の接点１３８上にはんだ小塊１３４を形成する。次いで、拡張ブロック１１８は、図１５に示すように、拡張ブロック１１８の接点１３８が、回路基板１１２の接点１１３と整列するように、ＦＰＣＢＡ１１０の上面上に配置される。
【００９８】
次いで、ＦＰＣＢＡ１１０は、ポリウレタン（ＰＵ）充填材１２４に入れられ、２つのポリ塩化ビニル（ＰＶＣ）シート１２６、１２８の間に挟まれる。２つのＰＶＣシート１２６、１２８は各々約８０μｍの厚さを有し、ＦＰＣＢＡ１１０およびＰＵ充填材１２４によって形成された中間層は約５４０μｍの厚さを有する。ＰＶＣシート１２８が積層前にＰＵ充填材１２４の表面上に配置されるときに、接触パッド１２０が露出されるように、上部ＰＶＣシート１２８に穴が開けられる。
【００９９】
次いで、予め積層されたカード本体を圧縮し、１６０℃〜１９０℃の温度に加熱して、図１６に示すように、単一の積層カード本体１２２を形成する。
【０１００】
接触パッド１２０を拡張ブロック１１８に、拡張ブロック１１８をＦＰＣＢＡ１１０に接続するために使用されるはんだは、接触パッドがＦＰＣＢＡのセキュアエレメント１１６および他の構成要素１１４と通信するのに必要な接続を提供するのに十分な導電性でなければならない。はんだはまた、はんだが積層プロセス中に溶融しないように、カード本体１２２を積層するために使用される温度よりも高い溶融温度を有しなければならない。
【０１０１】
積層プロセス中に、上部ＰＶＣシート１２８の一部が溶融して、接触パッド１２０を覆う積層による薄い層を形成し、それがカードとの電気的接続を妨げることがあり得る。接触パッド１２０上で溶融した可能性のある積層材料は、接触パッド１２０の上および周囲で積層カード本体１２２に穴を開けることによって除去される。図１７に示されるように、積層材料は、カード本体１２２の表面が露出されるように接触パッド１２０の表面から除去される。
【０１０２】
組み立てられたカードにおいて、接触パッド１２０は、拡張ブロック１１８を介してセキュアエレメント１１６に電気的に接続されている。さらに、拡張ブロック１１８は、接触パッド１２０を、カード本体１２２の前面と同一平面になるように、正しい高さで支持する。
【図１】
2019511058.tif 000003
【図２】
2019511058.tif 000004
【図３】
2019511058.tif 000005
【図４】
2019511058.tif 000006
【図５】
2019511058.tif 000007
【図６】
2019511058.tif 000008
【図７】
2019511058.tif 000009
【図８】
2019511058.tif 000010
【図９】
2019511058.tif 000011
【図１０】
2019511058.tif 000012
【図１１】
2019511058.tif 000013
【図１２】
2019511058.tif 000014
【図１３】
2019511058.tif 000015
【図１４】
2019511058.tif 000016
【図１５】
2019511058.tif 000017
【図１６】
2019511058.tif 000018
【図１７】
2019511058.tif 000019
【国際調査報告】
2019511058.tif 000020
2019511058.tif 000021
2019511058.tif 000022